(57)【特許請求の範囲】
【請求項１】
第１の通信方式に対応した第１の擬似基地局装置（２）と、
前記第１の通信方式と異なる第２の通信方式に対応した第２の擬似基地局装置（３）と、
前記第１の擬似基地局装置からの信号又は前記第２の擬似基地局装置からの信号を試験対象の移動体通信端末（１１）に送出可能であるとともに、前記移動体通信端末からの信号を前記第１の擬似基地局装置又は前記第２の擬似基地局装置に送出可能である結合部（４）とを備えた移動体通信端末の試験装置（１）において、
前記第１の擬似基地局装置は、予め決まった条件分岐の範囲で状態遷移して、それをループして行って前記移動体通信端末を試験するための基本シナリオを記憶するシナリオ記憶部（２４）と、
前記基本シナリオを実行している際の停止操作による停止時に、前記移動体通信端末に前記第２の擬似基地局装置への強制ハンドオーバを指示するための追加シナリオを選択して実行するシナリオ実行部（２５）を備え、
前記シナリオ実行部は、前記追加シナリオが予め指定されていないときに、試験者に前記追加シナリオの指定を促して操作させるためのシナリオ選択画面を表示させ、該シナリオ選択画面上で指定された追加シナリオを選択して実行することを特徴とする移動体通信端末の試験装置。
【請求項２】
前記シナリオ記憶部（２４）は、前記移動体通信端末（１１）に強制ハンドオーバを指示するための追加シナリオを記憶する追加シナリオ記憶部（２４ｂ）を有し、
前記シナリオ実行部（２５）は、前記追加シナリオが予め指定されているときに、この指定された追加シナリオを前記追加シナリオ記憶部から自動的に選択して実行することを特徴とする請求項１記載の移動体通信端末の試験装置。
【請求項３】
第１の通信方式に対応した第１の擬似基地局装置（２）又は前記第１の通信方式と異なる第２の通信方式に対応した第２の擬似基地局装置（３）と試験対象の移動通信端末（１１）との間で信号をやり取りして該移動通信端末の通信動作を試験する移動体通信端末の試験方法において、
予め決まった条件分岐の範囲で状態遷移して、それをループして行って前記移動体通信端末を試験するための基本シナリオを実行している際の停止操作による停止時に、前記移動体通信端末に前記第２の擬似基地局装置への強制ハンドオーバを指示するための追加シナリオを選択して実行するステップと、
前記追加シナリオが予め指定されていないときに、試験者に前記追加シナリオの指定を促して操作させるためのシナリオ選択画面を表示させ、該シナリオ選択画面上で指定された追加シナリオを選択して実行するステップとを含むことを特徴とする移動体通信端末の試験方法。
【請求項４】
前記移動体通信端末（１１）に強制ハンドオーバを指示するための追加シナリオを記憶するステップと、
前記追加シナリオが予め指定されているときに、この指定された追加シナリオを前記記憶された追加シナリオから自動的に選択して実行するステップとを更に含むことを特徴とする請求項３記載の移動体通信端末の試験方法。
【発明の詳細な説明】
【技術分野】
【０００１】
本発明は、新規に開発される携帯電話などの移動体通信端末が正常に通信動作するか否かの通信試験を行う移動体通信端末の試験装置及び試験方法に関する。
【背景技術】
【０００２】
近年の移動体通信方式としては、従来からの回線交換通信方式であるＧＳＭやＷ−ＣＤＭＡ、ＣＤＭＡ２０００（ＣＤＭＡ２０００  １ｘ、ＣＤＭＡ２０００  ＥＶ−ＤＯを含む、略称Ｃ２Ｋ）に対し、次世代のパケット通信方式であるＬＴＥなどが登場してきている。
【０００３】
通信事業者の多くは、将来的にＬＴＥ（Long Term Evolution ）の採用を予定している。このＬＴＥは、下りにＯＦＤＭＡ（Orthogonal Frequency Division Multiple Access ：直交周波数分割多元接続）、上りにＳＣ−ＦＤＭＡ（Single Carrier Frequency Division Multiple Access ：シングルキャリア周波数分割多元接続）を採用し、ピークデータレートが下り方向１００Ｍｂｐｓ以上、上り方向５０Ｍｂｐｓ以上（何れも周波数帯域幅が２０ＭＨｚにおいて）の通信速度を要求条件としている。
【０００４】
しかしながら、ＬＴＥを採用するにあたっては、通信設備の整備の問題があり、当面はＬＴＥと従来の通信方式を並存させ、徐々にＬＴＥの通信エリアを拡大し、最終的には従来の通信方式を終了させてＬＴＥに集中する方向である。
【０００５】
この並存期間中、例えばＬＴＥと従来の通信方式の両方の通信方式に対応した携帯電話が、ＬＴＥ基地局と従来の通信方式の基地局との両方のサービスエリア内にいるとする。この場合、データ通信サービスにはＬＴＥが、電話やＳＭＳ（Short Message Service ）のサービスには従来の通信方式が用いられ、携帯電話はサービスに応じて、それぞれの基地局と通信する。これは、データ通信にはＬＴＥが適している一方、電話やＳＭＳは従来の通信方式が現時点でのサービス提供が容易であるためである。
【０００６】
このような仕組みを実現する技術として、ＣＳＦＢ（Circuit switching fallback：パケット交換通信から回線交換通信へハンドオーバする技術、例えば特開２０１０−４５４２８号公報の〔背景技術〕を参照）が検討されている。そして、携帯電話等の移動体通信端末やそれに用いるデバイスのメーカから、このＣＳＦＢのような、異なる通信方式の基地局間の強制ハンドオーバ動作の試験を簡易に行いたいという要望がある。
【０００７】
ところで、従来技術として、下記特許文献１には、作業性を大幅に向上させ、試験に不慣れな者であっても、試験端末の現在の通信手順及び試験端末の接続状態を容易に把握することができる擬似基地局装置が開示されている。この擬似基地局装置は、同文献の図３のシーケンス表示部に示されるように、ある決まった条件分岐の範囲で状態遷移をして、それをループして行って試験端末を試験することが可能になっている。
【先行技術文献】
【特許文献】
【０００８】
【特許文献１】特開２００６−５０５６７号公報
【発明の概要】
【発明が解決しようとする課題】
【０００９】
しかしながら、この従来の擬似基地局装置を、上述の異なる通信方式の基地局間の強制ハンドオーバ動作の試験に対応させようとすると、２台の擬似基地局の連動機能の追加や、表示画面構成の大幅な変更など、大きな変更が必要となり、多額の開発コストがかかってしまうという課題が生じる。
【００１０】
そこで、本発明は上記問題点に鑑みてなされたものであって、異なる通信方式の基地局間の強制ハンドオーバ動作の試験を簡易に行うことができる移動体通信端末の試験装置及び試験方法を提供することを目的としている。
【課題を解決するための手段】
【００１１】
上記目的を達成するため、本発明の請求項１に記載された移動体通信端末の試験装置は、第１の通信方式に対応した第１の擬似基地局装置２と、
前記第１の通信方式と異なる第２の通信方式に対応した第２の擬似基地局装置３と、
前記第１の擬似基地局装置からの信号又は前記第２の擬似基地局装置からの信号を試験対象の移動体通信端末１１に送出可能であるとともに、前記移動体通信端末からの信号を前記第１の擬似基地局装置又は前記第２の擬似基地局装置に送出可能である結合部４とを備えた移動体通信端末の試験装置１において、
前記第１の擬似基地局装置は、予め決まった条件分岐の範囲で状態遷移して、それをループして行って前記移動体通信端末を試験するための基本シナリオを記憶するシナリオ記憶部２４と、
前記基本シナリオを実行している際の停止操作による停止時に、前記移動体通信端末に前記第２の擬似基地局装置への強制ハンドオーバを指示するための追加シナリオを選択して実行するシナリオ実行部２５を備え、
前記シナリオ実行部は、前記追加シナリオが予め指定されていないときに、試験者に前記追加シナリオの指定を促して操作させるためのシナリオ選択画面を表示させ、該シナリオ選択画面上で指定された追加シナリオを選択して実行することを特徴とする。
【００１２】
請求項２に記載された移動体通信端末の試験装置は、請求項１の移動体通信端末の試験装置において、
前記シナリオ記憶部２４は、前記移動体通信端末１１に強制ハンドオーバを指示するための追加シナリオを記憶する追加シナリオ記憶部２４ｂを有し、
前記シナリオ実行部２５は、前記追加シナリオが予め指定されているときに、この指定された追加シナリオを前記追加シナリオ記憶部から自動的に選択して実行することを特徴とする。
【００１４】
請求項３に記載された移動体通信端末の試験方法は、第１の通信方式に対応した第１の擬似基地局装置２又は前記第１の通信方式と異なる第２の通信方式に対応した第２の擬似基地局装置３と試験対象の移動通信端末１１との間で信号をやり取りして該移動通信端末の通信動作を試験する移動体通信端末の試験方法において、
予め決まった条件分岐の範囲で状態遷移して、それをループして行って前記移動体通信端末を試験するための基本シナリオを実行している際の停止操作による停止時に、前記移動体通信端末に前記第２の擬似基地局装置への強制ハンドオーバを指示するための追加シナリオを選択して実行するステップと、
前記追加シナリオが予め指定されていないときに、試験者に前記追加シナリオの指定を促して操作させるためのシナリオ選択画面を表示させ、該シナリオ選択画面上で指定された追加シナリオを選択して実行するステップとを含むことを特徴とする。
【００１５】
請求項４に記載された移動体通信端末の試験方法は、請求項３の移動体通信端末の試験方法において、
前記移動体通信端末１１に強制ハンドオーバを指示するための追加シナリオを記憶するステップと、
前記追加シナリオが予め指定されているときに、この指定された追加シナリオを前記記憶された追加シナリオから自動的に選択して実行するステップとを更に含むことを特徴とする。
【発明の効果】
【００１７】
本発明に係る試験装置及び試験方法によれば、２台の擬似基地局の連動機能の追加や、表示画面構成の大幅な変更などが不要であり、多額の開発コストをかけることなく、異なる通信方式の基地局間の強制ハンドオーバ動作の試験を簡易な構成で行うことができる。また、試験前に追加シナリオを予め指定しておけば、試験中の追加シナリオの選択操作を省くことができ、より容易に試験を行うことができる。
【図面の簡単な説明】
【００１８】
【図１】本発明に係る移動体通信端末の試験装置の概略構成を示すブロック図である。
【図２】本発明に係る移動体通信端末の試験装置の動作を示すフローチャート図
【図３】追加シナリオの一例を示す図である。
【発明を実施するための形態】
【００１９】
以下、本発明を実施するための形態について、添付した図面を参照しながら詳細に説明する。尚、この実施の形態によりこの発明が限定されるものではなく、この形態に基づいて当業者などによりなされる実施可能な他の形態、実施例及び運用技術などはすべて本発明の範疇に含まれる。
【００２０】
図１は本発明に係る移動体通信端末の試験装置の概略構成を示すブロック図、図２は同試験装置の動作を示すフローチャート図、図３は同試験装置による追加シナリオの一例を示す図である。
【００２１】
本発明に係る試験装置及び試験方法は、新規に開発される携帯電話などの試験対象となる移動体通信端末との間で所定の通信方式（例えばＬＴＥ、ＧＳＭ、ＧＳＭ／ＧＰＲＳ、Ｗ−ＣＤＭＡ、ＣＤＭＡ２０００、ＴＤ−ＳＣＤＭＡ、ＷｉＭＡＸ、Ｗｉ−Ｆｉなど）に基づく信号（ＲＦ信号）を送受信することにより基地局を模擬して移動体通信端末の通信動作を試験するものであり、特に、異なる通信方式の基地局間の強制ハンドオーバ動作の試験を簡易な構成で行う機能を有している。
【００２２】
本例の試験装置１は、上記機能を実現するための構成要素として、図１に示すように、第１の擬似基地局装置２と、第２の擬似基地局装置３と、結合部４とを備えて概略構成される。以下、各構成要素について説明する。
【００２３】
第１の擬似基地局装置２は、第１の通信方式（ＬＴＥ）に対応しており、第１の通信方式（ＬＴＥ）に基づく試験端末１１の動作試験を行う擬似基地局として機能するものである。第１の擬似基地局装置２は、図１に示すように、操作部２１、送受信部２２、表示部２３、シナリオ記憶部２４、シナリオ実行部２５を備えている。
【００２４】
操作部２１は、例えば第１の擬似基地局装置２の筐体前面に設けられるスイッチやボタンなどの操作パネルで構成される。操作部２１は、試験対象となる移動体通信端末（以下、試験端末と略称する）１１の通信動作試験の開始や停止の指示、シナリオ選択画面上での追加シナリオの指定操作を含め、異なる通信方式の基地局間（第１の擬似基地局装置２と第２の擬似基地局装置３との間）の強制ハンドオーバ動作の試験に必要な設定、第１の通信方式（ＬＴＥ）に基づく試験端末１１の通信動作試験に必要な各種設定などを行っている。
【００２５】
送受信部２２は、シナリオ実行部２５の制御により、不図示の仮想接続先からの信号（ＲＦ信号）を試験端末１１に送信し、試験端末１１から受信した信号（ＲＦ信号）を不図示の仮想接続先に入力している。さらに説明すると、送受信部２２は、試験端末１１から結合部４を介して受信した信号をＲＦ（高周波）入力処理し、その信号をさらに低周波数化して順次復調処理及びデコード処理を行い、このデコード処理されたデータに基づいて、仮想接続先選択などを含む交換機の機能を実行し、試験端末１１が指定する仮想接続先を呼び出している。また、送受信部２２は、仮想接続先から入力されたデータを順次変調処理及び高周波数化処理したＲＦ信号を試験端末１１に送信している。
【００２６】
なお、仮想接続先は、第１の擬似基地局装置２の内部に組み込まれ、シナリオ実行部２５の制御によって試験端末１１と接続可能な相手先であり、例えば仮想通話先、仮想サーバ、仮想ＴＶ電話などからなる。
【００２７】
表示部２３は、液晶パネルなどの表示器で構成され、後述するシナリオ選択部２５ｂからの指令によるシナリオ選択画面の表示を含め、試験端末１１の通信動作試験に関わる各種画面を表示している。
【００２８】
なお、特に図示はしないが、表示部２３は、試験端末１１の通信動作試験に関わる各種画面を表示するものとして、例えば特許文献１に開示されるように、第１の擬似基地局装置２を介しての試験端末１１と不図示の仮想接続先との間のサービス毎のパケットデータ通信に関して、試験端末１１と不図示の仮想接続先との間の通信手順及び通信の遷移状態を示す複数のシーケンスを表示するシーケンス表示部と、試験端末１１と第１の擬似基地局装置２を介した不図示の仮想接続先との接続状態を表示する接続状態表示部と、試験端末１が第１の擬似基地局装置２を介して接続される一つの仮想接続先を図式化して表示する接続先表示部とを有している。
【００２９】
シナリオ記憶部２４は、シナリオ実行部２５によって実行されるシナリオを記憶するもので、基本シナリオ記憶部２４ａと追加シナリオ記憶部２４ｂを有している。
【００３０】
基本シナリオ記憶部２４ａは、ある決まった条件分岐の範囲で状態遷移をして、それをループして行って試験端末１１を試験するための第１の基本シナリオを記憶している。第１の基本シナリオは、第１の通信方式（ＬＴＥ）に基づく通信シーケンスをシミュレーションするための一連の動作の試験手順を記述したものである。
【００３１】
追加シナリオ記憶部２４ｂは、試験端末１１に強制ハンドオーバを指示するための追加シナリオを記憶している。追加シナリオは、第１の基本シナリオと比較してシナリオの長さが極めて短く、試験者が容易に作成できるものである。
【００３２】
図３は追加シナリオ記憶部２４ｂに記憶される追加シナリオの一例を示している。図３の追加シナリオは、シナリオを実行するために必要十分な関数の取り込みを示す部分Ａ、シナリオ使用の宣言を示す部分Ｂ、試験装置の実行を示す部分Ｃ、メッセージ送信開始指示ボタンを示す部分Ｄ、メッセージ種別コメントを示す部分Ｅ、実際のメッセージ本体（１６進数）を示す部分Ｆ、メッセージ送信処理を示す部分Ｇ、送信完了表示を示す部分Ｈから構成される。なお、詳細な追加シナリオの一例について図３に示したが、図中のＤ，Ｅ，Ｈを省略することも可能である。
【００３３】
シナリオ実行部２５は、操作部２１からの操作により、第１の通信方式（ＬＴＥ）に基づくシナリオを実行するもので、図１に示すように、シナリオ停止処理部２５ａ、シナリオ選択部２５ｂ、シナリオ実行処理部２５ｃを有している。
【００３４】
シナリオ停止処理部２５ａは、第１の通信方式（ＬＴＥ）に基づく第１の基本シナリオにより試験端末１１の動作試験を行っている際に、試験者が操作部２１を操作して停止指示が行われると、実行中の第１の基本シナリオを停止させている。
【００３５】
シナリオ選択部２５ｂは、試験者が操作部２１を操作して予め追加シナリオを指定しているときに、その指定された追加シナリオを追加シナリオ記憶部２４ｂから呼び出して自動的に選択している。また、シナリオ選択部２５ａは、予め追加シナリオが指定されていないときに、追加シナリオの指定を試験者に促して操作部２１の手動操作により指定させるためのシナリオ選択画面を表示部２３に表示させている。
【００３６】
シナリオ実行処理部２５ｃは、第１の通信方式（ＬＴＥ）に基づく試験端末１１の動作試験を行うべく、基本シナリオ記憶部２４ａに記憶された第１の基本シナリオを実行している。また、シナリオ実行処理部２５ｃは、シナリオ停止処理部２５ｂによって第１の基本シナリオによる動作試験が停止したときに、シナリオ選択部２５ａによって自動的に選択された追加シナリオ、又は操作部２１の手動操作の指定によりシナリオ選択画面から選択された追加シナリオを実行している。
【００３７】
次に、第２の擬似基地局装置３は、第１の擬似基地局装置２の第１の通信方式（ＬＴＥ）と異なる第２の通信方式（ＧＳＭ，Ｗ−ＣＤＭＡ，Ｃ２Ｋなど）に対応しており、第２の通信方式（ＧＳＭ，Ｗ−ＣＤＭＡ，Ｃ２Ｋなど）に基づく試験端末１１の動作試験を行う擬似基地局として機能するものである。第２の擬似基地局装置３は、例えば特許文献１に開示される従来の擬似基地局装置と同じ構成であり、図１に示すように、操作部３１、送受信部３２、表示部３３、シナリオ記憶部３４、シナリオ実行部３５を備えている。
【００３８】
操作部３１は、第１の擬似基地局装置２の操作部２１と同様に、例えば第２の擬似基地局装置３の筐体前面に設けられるスイッチやボタンなどの操作パネルで構成される。操作部３１は、試験端末１１の通信動作試験の開始や停止の指示を含め、第２の通信方式（ＧＳＭ，Ｗ−ＣＤＭＡ，Ｃ２Ｋなど）に基づく試験端末１１の通信動作試験に必要な各種設定などを行っている。
【００３９】
送受信部３２は、第１の擬似基地局装置２の送受信部２２と同様に、シナリオ実行部３５の制御により、不図示の仮想接続先からの信号（ＲＦ信号）を試験端末１１に送信し、試験端末１１から受信した信号（ＲＦ信号）を不図示の仮想接続先に入力している。
【００４０】
表示部３３は、第１の擬似基地局装置２の表示部２３と同様に、液晶パネルなどの表示器で構成され、試験端末１１の通信動作試験に関わる各種画面（例えば上述した特許文献１に開示されるシーケンス表示部、接続状態表示部、接続先表示部）を表示している。
【００４１】
シナリオ記憶部３４は、ある決まった条件分岐の範囲で状態遷移をして、それをループして行って試験端末１１を試験するための第２の基本シナリオを記憶する基本シナリオ記憶部３４ａを有している。第２の基本シナリオは、第２の通信方式（ＧＳＭ，Ｗ−ＣＤＭＡ，Ｃ２Ｋなど）に基づく通信シーケンスをシミュレーションするための一連の動作の試験手順を記述したものである。
【００４２】
シナリオ実行部３５は、第２の通信方式（ＧＳＭ，Ｗ−ＣＤＭＡ，Ｃ２Ｋなど）に基づくシナリオを実行するもので、シナリオ実行処理部３５ａを有している。シナリオ実行処理部３５ａは、操作部３１からの操作により、シナリオ記憶部３４に記憶された第２の通信方式（ＧＳＭ，Ｗ−ＣＤＭＡ，Ｃ２Ｋなど）に基づく第２の基本シナリオを呼び出して実行している。
【００４３】
次に、結合部４は、第１の擬似基地局装置２又は第２の擬似基地局装置３の一方と試験端末１１との間で信号のやり取りを行っている。すなわち、結合部４は、第１の擬似基地局装置２からのＲＦ信号又は第２の擬似基地局装置３からのＲＦ信号を試験端末１１に送出可能としている。また、結合部４は、試験端末１１からのＲＦ信号を第１の擬似基地局装置２又は第２の擬似基地局装置３に送出可能としている。
【００４４】
次に、上記のように構成される試験装置１において、異なる通信方式の基地局間（第１の擬似基地局装置２と第２の擬似基地局装置３との間）の強制ハンドオーバ動作の試験を行う場合の動作について図２のフローチャートを参照しながら説明する。
【００４５】
なお、図２では、第１の擬似基地局装置２と第２の擬似基地局装置３の装置毎に動作内容を図示している。
【００４６】
まず、試験者は、図２のフローチャートに基づく強制ハンドオーバ動作の試験を行うにあたって、第２の擬似基地局装置３に必要な設定（試験端末１１の情報など、強制ハンドオーバ動作のハンドオーバ先基地局の動作に必要な設定）を行っておく。
【００４７】
・第１の擬似基地局装置２の動作
シナリオ実行部２５は、試験が開始されると、シナリオ記憶部２４の基本シナリオ記憶部２４ａに記憶された第１の基本シナリオを実行する（ＳＴ１）。そして、シナリオ停止処理部２５ａは、操作部２１による停止操作がなされたか否かを判別する（ＳＴ２）。シナリオ停止処理部２５ａは、操作部２１による停止操作がなされていないと判別すると、最終シーケンスか否かを判別する（ＳＴ３）。シナリオ停止処理部２５ａは、最終シーケンスでないと判別すると、次のシーケンスに移行し（ＳＴ４）、ＳＴ１の処理に戻る。これに対し、シナリオ停止処理部２５ａは、最終シーケンスであると判別すると、最初のシーケンスに移行し（ＳＴ５）、ＳＴ１の処理に戻る。
【００４８】
一方、シナリオ停止処理部２５ａは、操作部２１による停止操作がなされたと判別すると、シナリオ選択部２５ｂにて自動又は手動による追加シナリオの選択がなされる（ＳＴ６）。自動による追加シナリオの選択は、シナリオ記憶部２４の追加シナリオ記憶部２４ｂに予め記憶された追加シナリオをシナリオ選択部２５ｂが呼び出すことによって行われる。また、手動による追加シナリオの選択は、シナリオ選択部２５ａからの指令に基づくシナリオ選択画面から操作部２１の指定操作によって行われる。そして、シナリオ実行処理部２５ｃは、追加シナリオが選択されると、その追加シナリオを実行し（ＳＴ７）、試験を終了する。その際、選択された追加シナリオの制御により、試験端末１１が第２の擬似基地局装置３に向かって発信する（ＳＴ８）。
【００４９】
・第２の擬似基地局装置３の動作
シナリオ実行部３５は、試験が開始されると、シナリオ記憶部３４の基本シナリオ記憶部３４ａに記憶された第２の基本シナリオを動作させ、試験端末１１からの発信待ち状態に移行する（ＳＴ１１）。そして、シナリオ実行部３５は、試験端末１１から発信があるか否かを判別する（ＳＴ１２）。シナリオ実行部３５は、試験端末１１から発信ありと判別すると、第２の基本シナリオを実行し（ＳＴ１３）、試験を終了する。これに対し、シナリオ実行部３５は、試験端末１１から発信なしと判別すると、ＳＴ１１の試験端末１１からの発信待ち状態に戻る。なお、ＳＴ１３の第２の基本シナリオの実行にあたっては、第１の基本シナリオと同様に、操作部２１による停止操作が行われるまで、最初から最後までのシーケンスが繰り返される。
【００５０】
このように、本例の試験装置１では、第２の擬似基地局装置３に必要な設定（試験端末１１の情報など、強制ハンドオーバ動作のハンドオーバ先基地局の動作に必要な設定）を行っておき、第２の擬似基地局装置３の第２の基本シナリオを動作させ、試験端末１１からの発信待ち状態とし、第１の擬似基地局装置２の第１の基本シナリオを実行させる。そして、任意のタイミングで試験者が操作部２１による停止操作を行い、それに応じて追加シナリオが実行され、それにより試験端末１１から第２の擬似基地局装置３への発信が行われる。そして、試験端末１１から発信を受けた第２の擬似基地局装置３は、自身の第２の基本シナリオに沿って動作して試験端末１１を試験する。
【００５１】
これにより、本発明によれば、２台の擬似基地局の連動機能の追加や、表示画面構成の大幅な変更などが不要であり、多額の開発コストをかけることなく、異なる通信方式の基地局間の強制ハンドオーバ動作の試験を簡易な構成で行うことができる。また、予め試験前に追加シナリオを指定しておけば、試験中の追加シナリオの選択操作を省くことができ、より容易に試験を行うことができる。
【符号の説明】
【００５２】
１  試験装置
２  第１の擬似基地局装置
３  第２の擬似基地局装置
４  結合部
１１  試験端末（移動体通信端末）
２１  操作部
２２  送受信部
２３  表示部
２４  シナリオ記憶部
２４ａ  基本シナリオ記憶部
２４ｂ  追加シナリオ記憶部
２５  シナリオ実行部
２５ａ  シナリオ停止処理部
２５ｂ  シナリオ選択部
２５ｃ  シナリオ実行処理部
３１  操作部
３２  送受信部
３３  表示部
３４  シナリオ記憶部
３４ａ  基本シナリオ記憶部
３５  シナリオ実行部
３５ａ  シナリオ実行処理部
【図１】
0005390563.tif 000002
【図２】
0005390563.tif 000003
【図３】
0005390563.tif 000004